(57)【要約】【課題】開弁動作のタイミングを変更できるディスク式スチームトラップを提供する。【解決手段】本体１にキャップ部材１５をねじ結合して変圧室８の外側に空気保温室１６を形成する。キャップ部材１５の本体１へのねじ込み量を調節して空気保温室１６の容積を変更する。ねじ込み量を多くすれば空気保温室１６の容積が小さくなり、ねじ込み量を少なくすれば空気保温室１６の容積が大きくなる。キャップ部材１５の下端に指標１７を、本体１の外周面に閉弁から開弁までの秒数を表示する目盛１８を施す。開弁のタイミングを早くする場合には空気保温室１６の容積を小さくして変圧室８の圧力低下を早くし、開弁のタイミングを遅くする場合には空気保温室１６の容積を大きくして変圧室３の圧力低下を遅くする。【選択図】            図１
2004340252.tif 000002
【特許請求の範囲】
【請求項１】
入口と出口を形成した本体に蓋部材を取り付けて内部に入口と出口が開口する変圧室を形成し、入口及び出口の変圧室側開口端に同一平面の内外輪弁座からなる弁座面を形成し、内輪弁座面に入口と変圧室を連通する流入孔を形成し、内外輪弁座面の間に環状溝を形成して、該環状溝内に変圧室と出口を連通する流出孔を形成し、内外輪弁座の弁座面に離着座する円板状の弁ディスクを変圧室に配置したディスク式スチームトラップであって、変圧室の外側に保温室を形成したものにおいて、保温室を形成するキャップ部材をねじ調節可能に取り付けて保温室の容積を変更できるようにしたことを特徴とするディスク式スチームトラップ。
【発明の詳細な説明】
【０００１】
【発明の属する技術分野】
本発明は、変圧室すなわち熱力学的蒸気室の圧力変化に応じて弁ディスクが開閉することにより、蒸気配管系に発生する復水を自動的に排出するディスク式スチームトラップに関し、特に、開弁のタイミングを変更できるようにしたものに関する。
【０００２】
【従来の技術】
【特許文献１】
特開平５−２３１５９０号公報
従来のディスク式スチームトラップは、入口と出口を形成した本体に蓋部材を取り付けて内部に入口と出口が開口する変圧室を形成し、入口及び出口の変圧室側開口端に同一平面の内外輪弁座からなる弁座面を形成し、内輪弁座面に入口と変圧室を連通する流入孔を形成し、内外輪弁座面の間に環状溝を形成して、該環状溝内に変圧室と出口を連通する流出孔を形成し、内外輪弁座の弁座面に離着座する円板状の弁ディスクを変圧室に配置したディスク式スチームトラップであって、変圧室の外側に保温室を形成したものである。
【０００３】
【発明が解決しようとする課題】
ディスク式スチームトラップは、変圧室の圧力が放熱による蒸気の凝縮によって低下すると弁ディスクが開弁する。上記従来技術のものは、変圧室の外側に保温室を形成して変圧室の圧力低下を遅くすることにより、弁ディスクが早期に開弁することを防止したものであるが、上流側の蒸気使用機器等での復水発生量が多い場合には、逆に開弁が遅れて上流側に多量の復水を滞留してしまう問題があった。
【０００４】
従って、本発明の技術的課題は、開弁のタイミングを変更できるディスク式スチームトラップを提供することである。
【０００５】
【課題を解決するための手段】
上記の技術的課題を解決するために講じた本発明の技術的手段は、入口と出口を形成した本体に蓋部材を取り付けて内部に入口と出口が開口する変圧室を形成し、入口及び出口の変圧室側開口端に同一平面の内外輪弁座からなる弁座面を形成し、内輪弁座面に入口と変圧室を連通する流入孔を形成し、内外輪弁座面の間に環状溝を形成して、該環状溝内に変圧室と出口を連通する流出孔を形成し、内外輪弁座の弁座面に離着座する円板状の弁ディスクを変圧室に配置したディスク式スチームトラップであって、変圧室の外側に保温室を形成したものにおいて、保温室を形成するキャップ部材をねじ調節可能に取り付けて保温室の容積を変更できるようにしたことを特徴とするディスク式スチームトラップにある。
【０００６】
【発明の実態の形態】
本発明は、変圧室の外側に保温室を形成するキャップ部材をねじ調節可能に取り付けて保温室の容積を変更できるようにしたものである。変圧室の圧力低下は保温室の容積が小さいと早く大きいと遅いので、復水発生量が多い場合には保温室の容積を小さくして変圧室の圧力低下を早くすることにより開弁のタイミングを早くし、復水発生量が少ない場合には保温室の容積を大きくして変圧室の圧力低下を遅くすることにより開弁のタイミングを遅くする。これにより、開弁遅れや早期開弁を防止できる。
【０００７】
【実施例】
上記の技術的手段の具体例を示す実施例を説明する（図１及び図２参照）。本体１に入口２と、出口３と、弁座部材４を取り付ける凹部５と、を形成する。入口２と出口３はほぼ同一軸上に形成する。入口２は凹部５の中央に連通し、出口３は凹部５の周辺に連通する。凹部５に弁座部材４を配置し、凹部５の内周の側壁にねじ結合した蓋部材７で本体１に締結する。弁座部材４と蓋部材７の間に変圧室８を形成する。
【０００８】
弁座部材４の中央を貫通して流入孔９を設けて入口２と連通させると共に、周辺に環状溝１０を設けて流出孔１１を通して出口３に連通させ、流入孔９と環状溝１０の間に環状の内輪弁座１２を、環状溝１０の外側に環状の外輪弁座１３を形成する。内輪弁座１２と外輪弁座１３は同心円状で同一平面に形成する。変圧室８内に内外輪弁座１２，１３の弁座面に同時に離着座する弁ディスク１４を配置する。
【０００９】
本体１にキャップ部材１５をねじ結合して変圧室８の外側に空気保温室１６を形成する。キャップ部材１５の本体１へのねじ込み量を調節することにより空気保温室１６の容積を変更する。ねじ込み量を多くすれば空気保温室１６の容積が小さくなり、ねじ込み量を少なくすれば空気保温室１６の容積が大きくなる。キャップ部材１５の下端に指標１７を、本体１の外周面に閉弁から開弁までの秒数を表示する目盛１８を施す。
【００１０】
次に作用を説明する。変圧室８に蒸気が滞留していない場合、流入孔９を介して弁ディスク１４に作用する入口２側の流体圧力により、弁ディスク１４は内外輪弁座１２，１３からなる弁座面から離座して復水を環状溝１０と流出孔１１を介して出口３へ排出する。復水が排出されて変圧室８に蒸気が流入してくると、変圧室８の圧力が上昇すると共に、弁ディスク１４下面を高速の蒸気が流下して静圧低下を来たすことによって、弁ディスク１４は内外輪弁座１２，１３からなる弁座面に着座して閉弁する。変圧室８の圧力が放熱による蒸気の凝縮によって低下すると、弁ディスク１４は内外輪弁座１２，１３からなる弁座面から離座して復水を環状溝１０と排出孔１１を介して出口３へ排出する。以上のような開閉弁のサイクルを繰り返す。
【００１１】
復水発生量が多い場合には、キャップ部材１５の本体１へのねじ込み量を多くして空気保温室１６の容積を小さくし、変圧室８の圧力低下を早くして開弁のタイミングを早くする。逆に、復水発生量が少ない場合には、キャップ部材１５の本体１へのねじ込み量を少なくして空気保温室１６の容積を大きくし、変圧室３の圧力低下を遅くして開弁のタイミングを遅くする。そして、閉弁から開弁までの秒数を指標１７と目盛１８で確認する。
【００１２】
【発明の効果】
上記のように本発明によれば、保温室の容積を変更して開弁のタイミング調節することにより、開弁遅れや早期開弁を防止できるという優れた効果を生じる。
【図面の簡単な説明】
【図１】本発明のディスク式スチームトラップの実施例の断面図である。
【図２】図１の右側面図である。
【符号の説明】
１    本体
２    入口
３    出口
４    弁座部材
５    凹部
７    蓋部材
８    変圧室
９    流入孔
１０    環状溝
１１    流出孔
１２    内輪弁座
１３    外輪弁座
１４    弁ディスク
１５    キャップ部材
１６    空気保温室
１７    指標
１８    目盛
【図１】
2004340252.tif 000003
【図２】
2004340252.tif 000004